(57)【要約】【課題】簡易な構成により、ゴンドラ内での音楽再生の高音質化を図ることができ、また、地上とゴンドラ間の双方向通信による観覧車の高機能化を図ることができる観覧車用放送システムを提供する。【解決手段】運転室装置２０は、各ゴンドラ１２のうち運転室装置２０の間近まで移動した無線通信に適する一のゴンドラ１２に対して各種データを無線送信し、一のゴンドラ１２は、運転室装置２０から受信した各種データを前後一方に隣接するゴンドラ１２へ送信し、各ゴンドラ１２は、それぞれ前後一方に隣接するゴンドラ１２へ各種データを順次送信し、最終的に前記一のゴンドラ１２の前後他方に隣接するゴンドラ１２まで送信する。【選択図】図１
2010239427.tif 000002
【特許請求の範囲】
【請求項１】
観覧車のゴンドラに対して地上側より各種データを送信し、個々のゴンドラにて各種データの出力を行うための観覧車用放送システムにおいて、
地上側に設置された管制手段と、各ゴンドラに設置され前記管制手段から出力された各種データを受信すると共に、各種データをゴンドラ間で送受信する送受信手段と、各ゴンドラ内に設けられ各種データを出力する出力手段と、を有して成り、
前記管制手段は、各ゴンドラのうち管制手段の間近まで移動した無線通信に適する一のゴンドラに対して各種データを無線送信し、
前記一のゴンドラの送受信手段は、前記管制手段から受信した各種データを前後一方に隣接するゴンドラの送受信手段へ送信し、各ゴンドラの送受信手段は、それぞれ前後一方に隣接するゴンドラへ各種データを順次送信し、最終的に前記一のゴンドラの前後他方に隣接するゴンドラの送受信手段まで送信し、
前記各出力手段は、前記各ゴンドラに送信された各種データを受信する毎に、各種データを出力することを特徴とする観覧車用放送システム。
【請求項２】
前記各ゴンドラには、前記管制手段の間近の所定位置まで移動した際に、該所定位置に到達したことを検知する位置検出手段が設けられ、
前記管制手段は、前記位置検出手段による検出結果に基づき、前記一のゴンドラを通信対象として特定することを特徴とする請求項１に記載の観覧車用放送システム。
【請求項３】
前記管制手段は、前記各ゴンドラにある位置検出手段から検出結果を受ける毎に、前記通信対象とする一のゴンドラを順次変更することを特徴とする請求項２に記載の観覧車用放送システム。
【請求項４】
前記各ゴンドラには、各種データのうちデータ変更の頻度が少ない固定データを予め記憶させる固定データ記憶手段が設けられ、
前記管制手段が無線送信する各種データには、前記固定データ記憶手段に記憶されている固定データに関して前記出力手段による再生を制御する再生制御情報が含まれており、
前記出力手段は、前記再生制御情報に基づき前記固定データを再生することを特徴とする請求項１，２または３に記載の観覧車用放送システム。
【請求項５】
前記固定データには、ある特定の位置に関連付けされた風景案内情報が含まれており、
前記風景案内情報に関する前記再生制御情報は、前記各ゴンドラのうち前記特定の位置に到達したゴンドラにおいて前記風景案内情報を再生させるものであることを特徴とする請求項４に記載の観覧車用放送システム。
【請求項６】
前記各ゴンドラには、ゴンドラ内に設けられた各種関連設備における状態を検知するための複数のセンサが設けられており、
前記管制手段が無線送信する各種データには、前記各センサより出力された情報の収集を指示するセンサ出力取得情報が含まれており、
前記各ゴンドラの前記送受信手段は、それぞれ順次送信する前記センサ出力取得情報に各ゴンドラ毎に前記各センサより出力された情報を付加して送信し、最終的に前記一のゴンドラの送受信手段まで送信した後、該一のゴンドラの送受信手段から前記管制手段へ送信することを特徴とする請求項１，２，３，４または５に記載の観覧車用放送システム。
【請求項７】
前記各ゴンドラには、ゴンドラの乗客が所持する携帯音楽プレイヤーを接続可能な端子が設けられており、
前記各出力手段は、乗客の操作に基づき前記端子に接続された携帯音楽プレイヤーに格納されている音楽を再生可能であることを特徴とする請求項１，２，３，４，５または６に記載の観覧車用放送システム。
【発明の詳細な説明】
【技術分野】
【０００１】
本発明は、観覧車のゴンドラに対して地上側より各種データを送信し、個々のゴンドラ毎に各種データの再生を行うための観覧車用放送システムであり、特に、無線通信を利用して観覧車のゴンドラで地上の係員による音声放送と風景案内等の音楽再生を行うと共に、双方向通信により多機能化を図るシステムに関する。
【背景技術】
【０００２】
従来より、観覧車のゴンドラに対して地上から電力や電気信号を供給する手段として、ブラシの電気的接触によって通電を行うスリップリングが用いられていた。特に、ゴンドラ内でＢＧＭや地上の係員のマイク放送を再生する手段として、このスリップリングを多極化してスピーカーラインとし、アナログの音声信号を伝送する方法が知られている（例えば、特許文献１参照。）。
【０００３】
また、観覧車を取り付けた回動輪に設けられた電器（例えばゴンドラ内外の照明、換気用ファン、空調機等）用の電源供給ラインの電源電圧にアナログ音声信号等を重畳して、ゴンドラ内で復調して放送することにより、スリップリングの配線数を削減することができる方法も知られている（例えば、特許文献２参照。）。
【先行技術文献】
【特許文献】
【０００４】
【特許文献１】特開２００３−２４５４７４号公報
【０００５】
【特許文献２】特開２００２−２３３６６９号公報
【発明の概要】
【発明が解決しようとする課題】
【０００６】
しかしながら、前述したスリップリングを利用した従来の技術では、何れもスリップリングの接触部分における接触不良に起因した電気的ノイズが伝送中のアナログ音声信号等に混入しやすく、ゴンドラ内において高音質なＢＧＭ等の音楽を楽しむことができないという問題があった。
【０００７】
特に、スリップリングは、長期間の使用によって接触部分が腐食するため、なおさらスピーカーからの音声にノイズが含まれやすい。かかる問題を解決するために、特別に防錆ないし錆除処理を随時実施することが必要となり、この分、放送システムの維持のために手間やコストが嵩むという問題もあった。
【０００８】
ところで、スリップリングを利用せずに、地上側と観覧車のゴンドラ間を無線通信で音声信号の伝送を行う場合、地上側とゴンドラ間に存在する観覧車の構造物（回動輪やその支持構造体）による遮蔽の影響が無視できないため通信の信頼性が低く、情報量の多い音声信号を途切れることなく伝送することは困難であった。
【０００９】
さらに、前述したスリップリングを利用したものを含め、従来における観覧車用の放送システムでは、何れも地上側からゴンドラへの一方向通信のみであり、双方向通信を実現するものはなかった。かかる双方向通信が実現するとなれば、例えばゴンドラ内に各種センサを設けて、その出力データを地上側で入手し、ゴンドラ内の状態の遠隔監視等が可能となる。
【００１０】
本発明は、以上のような従来の技術の有する問題点に着目してなされたものであり、地上側と通信圏内にあるゴンドラとの１対１通信が可能なデータ通信用無線を利用すると共に、各ゴンドラ間では各種データをバケツリレー形式により伝送するという簡易な構成により、ゴンドラ内での音楽再生の高音質化を図ることができ、また、地上とゴンドラ間の双方向通信による観覧車の高機能化を図ることができる観覧車用放送システムを提供することを目的としている。
【課題を解決するための手段】
【００１１】
前述した目的を達成するための本発明の要旨とするところは、以下の各項の発明に存する。  
［１］観覧車（１０）のゴンドラ（１２）に対して地上側より各種データを送信し、個々のゴンドラ（１２）にて各種データの出力を行うための観覧車用放送システム（１）において、
地上側に設置された管制手段（２０）と、各ゴンドラ（１２）に設置され前記管制手段（２０）から出力された各種データを受信すると共に、各種データをゴンドラ（１２）間で送受信する送受信手段（４６，４７）と、各ゴンドラ（１２）内に設けられ各種データを出力する出力手段（４０，４１，４２，４４）と、を有して成り、
前記管制手段（２０）は、各ゴンドラ（１２）のうち管制手段（２０）の間近まで移動した無線通信に適する一のゴンドラ（１２）に対して各種データを無線送信し、
前記一のゴンドラ（１２）の送受信手段（４６，４７）は、前記管制手段（２０）から受信した各種データを前後一方に隣接するゴンドラ（１２）の送受信手段（４６，４７）へ送信し、各ゴンドラ（１２）の送受信手段（４６，４７）は、それぞれ前後一方に隣接するゴンドラ（１２）へ各種データを順次送信し、最終的に前記一のゴンドラ（１２）の前後他方に隣接するゴンドラ（１２）の送受信手段（４６，４７）まで送信し、
前記各出力手段（４０，４１，４２，４４）は、前記各ゴンドラ（１２）に送信された各種データを受信する毎に、各種データを出力することを特徴とする観覧車用放送システム（１）。
【００１２】
［２］前記各ゴンドラ（１２）には、前記管制手段（２０）の間近の所定位置まで移動した際に、該所定位置に到達したことを検知する位置検出手段（３３）が設けられ、
前記管制手段（２０）は、前記位置検出手段（３３）による検出結果に基づき、前記一のゴンドラ（１２）を通信対象として特定することを特徴とする［１］に記載の観覧車用放送システム（１）。
【００１３】
［３］前記管制手段（２０）は、前記各ゴンドラ（１２）にある位置検出手段（３３）から検出結果を受ける毎に、前記通信対象とする一のゴンドラ（１２）を順次変更することを特徴とする［２］に記載の観覧車用放送システム（１）。
【００１４】
［４］前記各ゴンドラ（１２）には、各種データのうちデータ変更の頻度が少ない固定データを予め記憶させる固定データ記憶手段（４３）が設けられ、
前記管制手段（２０）が無線送信する各種データには、前記固定データ記憶手段（４３）に記憶されている固定データに関して前記出力手段（４０，４１，４２，４４）による再生を制御する再生制御情報が含まれており、
前記出力手段（４０，４１，４２，４４）は、前記再生制御情報に基づき前記固定データを再生することを特徴とする［１］，［２］または［３］に記載の観覧車用放送システム（１）。
【００１５】
［５］前記固定データには、ある特定の位置に関連付けされた風景案内情報が含まれており、
前記風景案内情報に関する前記再生制御情報は、前記各ゴンドラ（１２）のうち前記特定の位置に到達したゴンドラ（１２）において前記風景案内情報を再生させるものであることを特徴とする［４］に記載の観覧車用放送システム（１）。
【００１６】
［６］前記各ゴンドラ（１２）には、ゴンドラ（１２）内に設けられた各種関連設備における状態を検知するための複数のセンサ（３５〜３９）が設けられており、
前記管制手段（２０）が無線送信する各種データには、前記各センサ（３５〜３９）より出力された情報の収集を指示するセンサ出力取得情報が含まれており、
前記各ゴンドラ（１２）の前記送受信手段（４６，４７）は、それぞれ順次送信する前記センサ出力取得情報に各ゴンドラ（１２）毎に前記各センサ（３５〜３９）より出力された情報を付加して送信し、最終的に前記一のゴンドラ（１２）の送受信手段（４６，４７）まで送信した後、該一のゴンドラ（１２）の送受信手段（４６，４７）から前記管制手段（２０）へ送信することを特徴とする［１］，［２］，［３］，［４］または［５］に記載の観覧車用放送システム（１）。
【００１７】
［７］前記各ゴンドラ（１２）には、ゴンドラ（１２）の乗客が所持する携帯音楽プレイヤー（４５）を接続可能な端子が設けられており、
前記各出力手段（４０，４１，４２，４４）は、乗客の操作に基づき前記端子に接続された携帯音楽プレイヤー（４５）に格納されている音楽を再生可能であることを特徴とする［１］，［２］，［３］，［４］，［５］または［６］に記載の観覧車用放送システム（１）。
【００１８】
次に、前述した解決手段に基づく作用を説明する。  
前記［１］に記載の観覧車用放送システム（１）によれば、地上側に設置された管制手段（２０）は、回転中の各ゴンドラ（１２）のうち管制手段（２０）の間近まで移動した無線通信に適する一のゴンドラ（１２）のみを通信対象として、各種データを１対１で無線送信する。ここで管制手段（２０）の間近まで移動した一のゴンドラ（１２）は、管制手段（２０）との間に構造物（回動輪やその支持構造体）が少ないので電波の遮蔽の影響が少ないと共に、通信距離も短いから、無線通信に適している。
【００１９】
管制手段（２０）から送信された各種データは、前記一のゴンドラ（１２）を経由して全てのゴンドラ（１２）にバケツリレー形式で送受信される。すなわち、前記一のゴンドラ（１２）の送受信手段（４６，４７）は、管制手段（２０）から受信した各種データを前後一方に隣接するゴンドラ（１２）の送受信手段（４６，４７）へ送信し、各ゴンドラ（１２）の送受信手段（４６，４７）は、それぞれ前後一方に隣接するゴンドラ（１２）へ各種データを順次送信し、最終的に前記一のゴンドラ（１２）の前後他方に隣接するゴンドラ（１２）の送受信手段（４６，４７）まで送信される。これにより、全てのゴンドラ（１２）に重複することなく各種データを伝送することが可能となる。
【００２０】
各ゴンドラ（１２）では、各種データが単に中継されるだけでなく、各ゴンドラ（１２）内にある出力手段（４０，４１，４２，４４）によって受信される毎にそれぞれ出力されて乗客に利用される。以上のようなシステムにより、回転により時々刻々と通信対象の位置が変わると共に、構造物により電波が遮蔽される虞のある観覧車（１０）のゴンドラ（１２）と地上間で無線通信を行う場合において、高い通信品質を保つことが可能となる。特に、近距離での通信を行うため、コストの低い低価格なアンテナが利用可能となり、高い通信速度も必要としないため、コストの低い既存の無線機器が利用可能となる。
【００２１】
ところで、管制手段（２０）との間で通信対象となる一のゴンドラ（１２）の特定方法としては、前記［２］に記載したように、各ゴンドラ（１２）に、管制手段（２０）の間近の所定位置まで移動した際に、該所定位置に到達したことを検知する位置検出手段（３３）を設けると良い。これにより、管制手段（２０）は、位置検出手段（３３）による検出結果に基づいて、電波状況が良い一のゴンドラ（１２）を物理的に判断し、通信対象として特定することができる。
【００２２】
また、前記［３］に記載した観覧車用放送システム（１）によれば、管制手段（２０）は、各ゴンドラ（１２）にある位置検出手段（３３）から検出結果を受ける毎に、前記通信対象とする一のゴンドラ（１２）を順次変更する。これにより、全てのゴンドラ（１２）を順番に通信対象とすることが可能となり、また、各ゴンドラ（１２）の相対的な位置関係を常に正確に把握することが可能となる。
【００２３】
また、前記各種データには、一般の歌謡曲等の音楽やＢＧＭ等の音楽データ、あるいは地上の係員からのメッセージや緊急放送等のリアルタイムな音声データ等と色々あるが、前記［４］に記載したように、音楽データ等のデータ変更の頻度が少ない固定データを予め記憶させる固定データ記憶手段（４３）を各ゴンドラ（１２）に設けておくと良い。
【００２４】
そして、管制手段（２０）から再生制御情報を送信することにより、各ゴンドラ（１２）内にて出力手段（４０，４１，４２，４４）により前記固定データを再生させる。これにより、各ゴンドラ（１２）が送受信するデータ容量を抑えることができ、また、ゴンドラ（１２）内での高音質な音楽を提供することができる。
【００２５】
また、前記［５］に記載したように、前記固定データに特定の位置に関連付けされた風景案内情報が含まれている場合、前記風景案内情報に関する再生制御情報を管制手段（２０）から送信することにより、各ゴンドラ（１２）のうち特定の位置に到達したゴンドラ（１２）において前記風景案内情報を再生する。これにより、通信対象となる一のゴンドラ（１２）と特定の相対位置に存在するゴンドラ（１２）に対して、ゴンドラ（１２）から見える風景案内等、個別の出力再生を行うことが可能となる。
【００２６】
また、前記［６］に記載したように、各ゴンドラ（１２）には、ゴンドラ（１２）内にある各種関連設備の状態を検知する複数のセンサ（３５〜３９）を設けると良い。管制手段（２０）によって、前記各センサ（３５〜３９）より出力された情報の収集を指示するセンサ出力取得情報が出力された場合、各ゴンドラ（１２）の送受信手段（４６，４７）は、それぞれ順次送信する前記センサ出力取得情報に各ゴンドラ（１２）毎に各センサ（３５〜３９）より出力された情報を付加して送信する。
【００２７】
そして、最終的に前記一のゴンドラ（１２）の送受信手段（４６，４７）まで、センサ出力取得情報と各センサ（３５〜３９）より出力された情報が送信された後、該一のゴンドラ（１２）の送受信手段（４６，４７）から管制手段（２０）へフィードバックするようにデータを送信する。このような地上側とゴンドラ（１２）との双方向通信によれば、センサ（３５〜３９）の出力に応じたゴンドラ（１２）内の状態の遠隔監視等が可能となり、観覧車（１０）の高機能化を図ることができる。
【００２８】
さらに、前記［７］に記載したように、各ゴンドラ（１２）には、ゴンドラ（１２）の乗客が所持する携帯音楽プレイヤー（４５）を接続可能な端子が設けると良い。ここで各出力手段（４０，４１，４２，４４）は、乗客の操作に基づき前記端子に接続された携帯音楽プレイヤー（４５）に格納されている音楽を再生可能とする。これにより、観覧車（１０）の乗客は自分の携帯音楽プレイヤー（４５）自体をゴンドラ（１２）内で利用して好みの音楽を楽しむことができる。
【発明の効果】
【００２９】
本発明に係る観覧車用放送システムによれば、地上側と通信圏内にあるゴンドラとの１対１通信が可能なデータ通信用無線を利用すると共に、各ゴンドラ間では各種データをバケツリレー形式により伝送するという簡易な構成により、コストアップを招くことなくゴンドラ内での音楽再生の高音質化を図ることができる。また、地上とゴンドラ間の双方向通信を実現することにより、観覧車の高機能化を図る。
【図面の簡単な説明】
【００３０】
【図１】本発明の実施の形態に係る観覧車用放送システムを概略的に示す説明図である。
【図２】本発明の実施の形態に係る観覧車用放送システムを構成する管制手段である運転室装置のハードウェア構成を示すブロック図である。
【図３】本発明の実施の形態に係る観覧車用放送システムを構成するゴンドラ装置のハードウェア構成を示すブロック図である。
【図４】本発明の実施の形態に係る観覧車用放送システムにおける通信対象ゴンドラを特定する方法を示す説明図である。
【図５】本発明の実施の形態に係る観覧車用放送システムにおける通信方法を示す説明図である。
【図６】本発明の実施の形態に係る観覧車用放送システムを構成する運転室装置の状態遷移を示すブロック図である。
【図７】本発明の実施の形態に係る観覧車用放送システムを構成するゴンドラ装置の状態遷移を示すブロック図である。
【図８】本発明の実施の形態に係る観覧車用放送システムにおける回転位置検出スイッチのスイッチレバーが押下された際の動作を示す説明図である。
【図９】本発明の実施の形態に係る観覧車用放送システムにおける各種データのうち音声データの一例を示す説明図である。
【図１０】本発明の実施の形態に係る観覧車用放送システムにおける運転室装置による音声放送手順の一例を示す説明図である。
【図１１】本発明の実施の形態に係る観覧車用放送システムにおける運転室装置による音声放送手順の別の例を示す説明図である。
【図１２】本発明の実施の形態に係る観覧車用放送システムにおける各種データのうち全ゴンドラセンサデータの一例を示す説明図である。
【図１３】本発明の実施の形態に係る観覧車用放送システムの運転室装置によるセンサ情報の収集を示す説明図である。
【図１４】本発明の実施の形態に係る観覧車用放送システムにおける各種データのうち音声制御データの一例を示す説明図である。
【図１５】本発明の実施の形態に係る観覧車用放送システムの運転室装置による音楽の通常再生モードを示す説明図である。
【図１６】本発明の実施の形態に係る観覧車用放送システムの運転室装置によるイベント音楽再生モードを示す説明図である。
【図１７】本発明の実施の形態に係る観覧車用放送システムにおける各種データのうち空調制御データの一例を示す説明図である。
【図１８】本発明の実施の形態に係る観覧車用放送システムの運転室装置によるサーキュレータ制御を示す説明図である。
【発明を実施するための形態】
【００３１】
以下、図面に基づき本発明を代表する実施の形態を説明する。  
図１は、本実施の形態に係る観覧車用放送システム１を概略的に示す説明図であり、図２は、観覧車用放送システム１を構成する管制手段である運転室装置２０のハードウェア構成を示すブロック図である。図３は、観覧車用放送システム１を構成するゴンドラ装置３０のハードウェア構成を示すブロック図である。また、図６は、運転室装置２０における状態遷移を示すブロック図であり、図７は、ゴンドラ装置３０における状態遷移を示すブロック図である。
【００３２】
図１に示すように、本実施の形態における観覧車１０は、複数のゴンドラ１２を外周に等間隔に取り付けた状態で回転する回動輪１１と、地上に立設されて前記回動輪１１を回転可能に支持する支持構造体１３と、を有して成る。なお、支持構造体１３には、回動輪１１を回転駆動させるための駆動装置（図示せず）が設けられているが、その構成は一般的であるので詳細な説明は省略する。
【００３３】
観覧車１０を含む観覧車用放送システム１は、地上側に設置された管制手段である運転室装置２０と、各ゴンドラ１２に設置され前記運転室装置２０から出力された各種データを受信すると共に、各種データをゴンドラ１２間で送受信する送受信手段と、各ゴンドラ１２内に設けられ各種データを出力する出力手段と、を有して成る。
【００３４】
支持構造体１３の下部付近には、最下位置のゴンドラ１２に乗客が乗り降りするための乗降場１４が設置され、その脇には運転室１５が建てられている。運転室装置２０は、運転室１５内に設置されている。また、ゴンドラ１２は、乗降用の扉や開閉可能な窓を備えた筐体の内部に座席を設けて成り、各ゴンドラ１２内には、前記送受信手段や前記出力手段の主要部を成すゴンドラ装置３０の他、スピーカー４４や空調装置４９等が設置されている。
【００３５】
図２に示すように、運転室装置２０は、各種制御の中枢的機能を果たすＣＰＵと、ＣＰＵの実行するプログラムや各種の固定的データを記憶するＲＯＭと、プログラムを実行する上で一時的に必要になるデータを記憶するためのＲＡＭ等を主要部とするマイコン２１により構成されている。このマイコン２１には、外部から電源電圧が供給される電源回路２２の他、音声放送スイッチ２３、音楽制御スイッチ２４、空調装置制御スイッチ２５等がそれぞれ信号線を介して接続されている。
【００３６】
運転室装置２０のマイコン２１には、センサーネットワーク無線モジュール２６と外部アンテナ２６ａ、音声用エンコーダ２７、マイク用アンプ２８とマイク２８ａ、それに表示画面や入力手段を備えたモニタ装置２９等も、それぞれ信号線を介して接続されている。これら個々の機器は、既存の一般的なものを採用しており詳細な説明は省略する。
【００３７】
図３に示すように、ゴンドラ装置３０は、前記運転室装置２０と同様にマイコン３１により構成されている。このマイコン３１には、回動輪１１の軸受部に設けられてスリップリングを介して電源電圧が供給される電源回路３２の他、回転位置検出スイッチ３３、携帯／内蔵音楽切替スイッチ３４、人感センサ３５、窓開閉検知スイッチ３６、扉ロック検知センサ３７等がそれぞれ信号線を介して接続されている。また、温度センサ３８や加速度センサ３９もそれぞれ信号線を介して接続されている。
【００３８】
ここで回転位置検出スイッチ３３は、ゴンドラ１２が運転室装置２０の間近の所定位置まで移動した際に、該所定位置に到達したことを検知する位置検出手段である。詳しく言えば回転位置検出スイッチ３３は、そのスイッチレバーがゴンドラ１２の外壁より突出しており、各ゴンドラ１２が乗降場１４の少し手前となる所定位置（図４中で薄墨色のゴンドラ１２を示す位置Ａ）で支持構造体１３の一部と接触すると、一時的にオンとなり位置検出信号を出力する。この回転位置検出スイッチ３３から出力された位置検出信号は、前記運転室装置２０に送信される。
【００３９】
携帯／内蔵音楽切替スイッチ３４は、押し操作することにより、後述するスピーカー４４からの音声の再生をゴンドラ１２内にある音楽データとするか、乗客が所有する携帯音楽プレイヤー４５とするか、どちらか一方に選択するためのスイッチである。また、人感センサ３５は、ゴンドラ１２内における乗客の有無を赤外線あるいは重量により検出するセンサである。
【００４０】
窓開閉検知スイッチ３６は、ゴンドラ１２にある２箇所の窓の開閉状態を検出するものであり、例えば開いている状態を物理的に検出するリミットスイッチから成る。また、扉ロック検知センサ３７は、ゴンドラ１２にある乗降用の扉がロックされたか否かを、例えば物理的に検出するリミットスイッチから成る。また、温度センサ３８は、ゴンドラ１２内の温度を検出するためのセンサであり、加速度センサ３９は、ゴンドラ１２の移動速度を加速度より検出するためのセンサであり、どちらも構成は一般的であるので詳細は省略する。
【００４１】
また、ゴンドラ装置３０のマイコン３１には、ミキサ・アンプ回路４０、音声用デコーダ回路４１、内蔵音楽用プレイヤー回路４２、音楽データ蓄積用フラッシュメモリ４３、スピーカー４４が、それぞれ信号線を介して接続されている。ここでミキサ・アンプ回路４０、音声用デコーダ回路４１、内蔵音楽用プレイヤー回路４２、およびスピーカー４４によって、各種データである音楽データや音声データを出力するための出力手段が構成されている。かかる出力手段は、各ゴンドラ１２に送信された各種データを受信する毎に、各種データを出力するものである。
【００４２】
音楽データ蓄積用フラッシュメモリ４３は、各種データのうちデータ変更の頻度が少ない固定データを予め記憶させるものである。かかる固定データは、具体的には例えば、一般の歌謡曲等の音楽やＢＧＭ等の音楽データ、後述する風景案内情報等が該当する。なお、各種データのうちデータ変更の頻度が多い変動データとしては、地上の係員からのメッセージや緊急放送等のリアルタイムな音声データ等が該当する。
【００４３】
また、ゴンドラ装置３０には、乗客が所持する携帯音楽プレイヤー４５を接続可能な端子が設けられている。ここで携帯音楽プレイヤー４５とは、携帯して音楽等を聴ける音響機器の総称であり、例えばポータブルオーディオプレイヤー、携帯型オーディオ等が該当する。後述するが乗客は、ゴンドラ１２内で前記音楽データ蓄積用フラッシュメモリ４３に記憶された音楽を聞く代わりに、自分の携帯音楽プレイヤー４５の音楽をスピーカー４４から聞くことができる。なお、携帯音楽プレイヤー４５を接続する端子の構成は一般的であるので詳細な説明は省略する。
【００４４】
さらに、ゴンドラ装置３０のマイコン３１には、センサーネットワーク無線モジュール４６と外部アンテナ４７、前記空調装置４９を操作するための空調装置用リレー回路４８が、それぞれ信号線を介して接続されている。ここでセンサーネットワーク無線モジュール４６と外部アンテナ４７によって、前記管制手段２０から出力された各種データを受信すると共に、各種データをゴンドラ１２間で送受信するための送受信手段が構成されている。これらの個々の機器や無線通信に関しては、一般的なものを採用しており詳細な説明は省略する。
【００４５】
次に、本実施の形態に係る観覧車用放送システム１の作用について説明する。  
図１において、係員が運転室１５で運転室装置２０を操作して回動輪１１を回転駆動すると、回動輪１１に取り付けられている各ゴンドラ１２は、それぞれ一定の速度で移動する。ここでの速度は、ゴンドラ１２内にある加速度センサ３９によって検知される。乗降場１４では係員が最下位置まで移動して来たゴンドラ１２の扉を開けて、ここから乗客はゴンドラ１２内に乗り込む。乗客が乗り込んだ後、係員は扉を閉めてロックする。この扉のロック状態は、ゴンドラ１２内にある扉ロック検知センサ３７によって検知される。
【００４６】
また、各ゴンドラ１２内には空調装置４９も備えられており、係員は運転室装置２０にある空調装置制御スイッチ２５を操作することにより、ゴンドラ１２内を乗客にとって快適な空調環境に調整する。ゴンドラ１２内の温度は、ゴンドラ１２内にある温度センサ３８によって検知される。その他、各ゴンドラ１２内には、人感センサ３５や窓開閉検知スイッチ３６が設けられており、人感センサ３５によって、ゴンドラ１２内における乗客の有無が検知され、窓開閉検知スイッチ３６によって、ゴンドラ１２にある２箇所の窓の開閉状態が検知される。
【００４７】
図１において、地上側に設置された運転室装置２０は、回転中の各ゴンドラ１２のうち運転室装置２０の間近まで移動した無線通信に適する一のゴンドラ１２のみを通信対象として、各種データを１対１で無線送信する。ここで運転室装置２０の間近まで移動した一のゴンドラ１２は、運転室装置２０との間に構造物（回動輪１１やその支持構造体１３）が少ないので電波の遮蔽の影響が少ないと共に、通信距離も短いから、無線通信に適している。
【００４８】
図４において、通信対象となる一のゴンドラ１２（以下「通信対象ゴンドラ１２」とする）の決定は、各ゴンドラ１２に設けられている回転位置検出スイッチ３３により行う。すなわち、各ゴンドラ１２が回動輪１１の回転に伴い運転室装置２０の周囲の通信可能エリアに移動した際、乗降場１４の少し手前となる所定位置（図４中で薄墨色のゴンドラ１２を示す位置Ａ）で、回転位置検出スイッチ３３のスイッチレバーが支持構造体１３の一部と接触して押下されると、一時的にオンとなり位置検出信号を出力する。
【００４９】
図８は、回転位置検出スイッチ３３のスイッチレバーが押下された際の動作を示す説明図である。前述したように、回転位置検出スイッチ３３が押下されたゴンドラ１２は、運転室装置２０に向けて位置検出信号を送信する。位置検出信号には、これを送信したゴンドラの識別番号が含まれており、運転室装置２０は、位置検出信号を送信したゴンドラ１２を通信対象とし（図中の番号ｋ−１）、それまで通信対象ゴンドラ１２であったもの（図中の番号ｋ）を一般ゴンドラ、すなわち直接の通信対象ではないものと判断する。
【００５０】
図９は、各種データのうち音声データの一例を示す説明図であり、図１０は、運転室装置２０による音声放送手順の一例を示す説明図である。運転室装置２０による音声データの送信中に通信対象ゴンドラ１２の変更が無い場合には、運転室装置２０では音声放送スイッチ２３が押されている間、リアルタイムデータである音声データを例えば２０ミリ秒おきに送信する。
【００５１】
通信対象ゴンドラ１２のゴンドラ装置３０では、受信した音声データを再生すると共に、この音声データを前後一方に隣接するゴンドラ１２に送信する。図９に示すように音声データには、通信対象ゴンドラ番号と、全ゴンドラ台数が含まれており、これから通信対象ゴンドラ１２の一つ前のゴンドラ（図中の番号ｋ−１）までデータが送信された時点で、それ以降のデータ送信を停止する。これにより、全ゴンドラ１２に重複することなく音声データを配信することが可能となる。
【００５２】
図１１は、運転室装置２０による音声放送手順の別の例を示す説明図である。各ゴンドラ１２の回転により音声データの送信中に、運転室装置２０が一般ゴンドラ１２からの位置検出信号を受信した場合は、通信対象ゴンドラ１２の変更を行い、引き続き音声データの送信を行う。なお、運転室装置２０は位置検出信号を使用して、各ゴンドラ１２の位置情報を地上のモニタ装置２９に表示する他、後述するが通信対象ゴンドラ１２と相対位置に存在するゴンドラ１２に対して、該ゴンドラ１２から見える風景案内情報等の個別の出力再生を行うことが可能となる。
【００５３】
このように、先ず運転室装置２０から送信された各種データは、通信対象ゴンドラ１２を経由して全てのゴンドラ１２にバケツリレー形式で送受信される。すなわち、図５（ａ）に示すように、通信対象ゴンドラ１２の送受信手段（センサーネットワーク無線モジュール４６と外部アンテナ４７）は、運転室装置２０から受信した各種データを前後一方に隣接するゴンドラ１２の送受信手段へ送信する。
【００５４】
各ゴンドラ１２の送受信手段は、それぞれ前後一方に隣接するゴンドラ１２へ各種データを順次送信し、最終的に通信対象ゴンドラ１２の前後他方に隣接するゴンドラ１２（図中の番号ｋ−１）の送受信手段まで送信される。このようなマルチホップ通信により、コストの低い低価格なアンテナが利用可能となり、高い通信速度も必要としないため、コストの低い既存の無線機器が利用可能となる。
【００５５】
しかも、各ゴンドラ１２では各種データが単に中継されるだけでなく、各ゴンドラ１２内にある出力手段によって受信される毎にそれぞれ出力されて乗客に利用される。すなわち、各ゴンドラ１２において音声放送と音楽再生が行われる。図１４は、各種データのうち音声制御データの一例を示す説明図であり、図１５は、運転室装置２０による音楽の通常再生モードを示す説明図である。
【００５６】
図１５に示すように、運転室装置２０において音楽が手動制御に設定されている場合は、「再生」・「一時停止」・「曲スキップ」等の音楽制御スイッチ２４を操作した際に再生制御情報である音楽制御情報を送信し、ゴンドラ１２では音楽等の固定データの再生を行う。音楽制御スイッチ２４の操作時の音楽制御は全ゴンドラ１２で実施するため、データ再生中の制御指定ゴンドラ１２を未指定として送信を行う。
【００５７】
図１６は、運転室装置２０によるイベント音楽再生モードを示す説明図である。図１６に示すように、運転室装置２０において音楽が自動制御に設定されている場合は、音楽制御スイッチ２４の操作なしに自動的に音楽制御を行う。かかる自動制御では、前記位置検出通知の受信後に、通信対象ゴンドラ１２での音楽の頭だし再生と共に、通信対象ゴンドラ１２の数台先に位置する制御指定ゴンドラ１２に対して風景案内情報を行うように音楽制御情報を送信する。各ゴンドラ１２の正確な位置情報を得ることで、通信対象ゴンドラ１２と特定の相対位置に存在するゴンドラ１２に対して、該ゴンドラ１２から見える風景案内等、個別の出力再生を行うことができる。
【００５８】
ところで、再生する音楽データには、一般の歌謡曲等の音楽やＢＧＭ等の音楽データ等と色々あるが、音楽データのようにデータ変更の頻度が少ない固定データは、各ゴンドラ１２内の音楽データ蓄積用フラッシュメモリ４３に予め記憶させることができる。これにより、各ゴンドラ１２が送受信するデータ容量を抑えることができ、また、ゴンドラ１２内での高音質な音楽を提供することが可能となる。
【００５９】
さらに、運転室装置２０では各ゴンドラ１２における音楽再生や音声放送を行う他、各ゴンドラ１２内におけるゴンドラ装置３０の各種センサ情報を収集し、モニタ装置２９に表示して地上でモニタすることができる。図１２は、各種データのうち全ゴンドラセンサデータの一例を示す説明図であり、図１３は、運転室装置２０によるセンサ情報の収集を示す説明図である。
【００６０】
図１３に示すように、運転室装置２０、通信対象ゴンドラ１２に対して図１２に示した全ゴンドラセンサデータを送信する。各ゴンドラ１２では、加速度センサ３９の異常値の検出と、窓開閉検知スイッチ３６による窓（２箇所）の開閉状態の検知、および扉ロック検知センサ３７による扉ロック状態を検出する接点情報（合計４ビット）をデータ中に指定された場所に格納し、これを隣接するゴンドラ１２に送信する。通信対象ゴンドラ１２でこのデータを受け取った後に運転室装置２０に送信する。
【００６１】
このように運転室装置２０によって、各センサ３６，３７，３９より出力された情報の収集を指示するセンサ出力取得情報である全ゴンドラセンサデータが出力された場合、各ゴンドラ１２の送受信手段は、それぞれ順次送信する全ゴンドラセンサデータに各ゴンドラ１２毎に各センサ３６，３７，３９より出力された情報を付加して送信する。
【００６２】
そして、最終的に通信対象ゴンドラ１２の送受信手段まで、全ゴンドラセンサデータと各センサ３６，３７，３９より出力された情報が送信された後、該通信対象ゴンドラ１２の送受信手段から運転室装置２０へフィードバックするようにデータを送信する。このような図５（ｂ）に示す地上側とゴンドラ１２との双方向通信によって、センサ３５〜３９の出力に応じたゴンドラ１２内の状態の遠隔監視等が可能となり、観覧車１０の高機能化を図ることができる。
【００６３】
図１７は、各種データのうち空調制御データの一例を示す説明図であり、図１８は、運転室装置２０によるサーキュレータ制御を示す説明図である。図１８に示すように、運転室装置２０の空調装置制御スイッチ２５を操作すると、運転室装置２０から通信対象ゴンドラ１２に空調制御情報が送信される。そして、通信対象ゴンドラ１２より各ゴンドラ１２に空調制御情報が順次送信され、全てのゴンドラ１２内にて空調制御が実施される。
【００６４】
さらに、ゴンドラ１２の乗客はゴンドラ装置３０の端子に携帯音楽プレイヤー４５を接続し、携帯／内蔵音楽切替スイッチ３４を操作することにより、自前の携帯音楽プレイヤー４５の再生を行うことができる。ここで携帯音楽プレイヤー４５とは、本実施の形態では例えばヘッドホン出力用のφ３．５ステレオジャックを持ったＭＰ３プレイヤーであれば利用可能である。
【００６５】
詳しくは、ゴンドラ装置３０から伸びたφ３．５ステレオプラグケーブルの端子に自分の携帯音楽プレイヤー４５を接続し、携帯／内蔵音楽切替スイッチ３４を押すことで、ゴンドラ１２内のスピーカー４４ではゴンドラ装置３０内のＭＰ３プレイヤーの再生から乗客が所持する携帯音楽プレイヤー４５の再生に切り替わる。
【００６６】
音量調整は携帯音楽プレイヤー４５にあるボリューム調整で行う。乗客がゴンドラ１２から降りる直前に（回転位置検出スイッチ３３が押された時）、運転室装置２０内にあるＭＰ３プレイヤーの再生に戻すように設定されている。これにより、観覧車１０の乗客は自分の携帯音楽プレイヤー４５自体をゴンドラ１２内で利用して、好みの音楽を楽しむことができる。
【００６７】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、前記各種データは固定データである音楽データや、変動データである音声データとして説明したが、画像や動画に関するコンテンツを含むものでも良い。
【産業上の利用可能性】
【００６８】
本発明に係る観覧車用放送システムは、ゴンドラ内で地上の係員による音声放送や風景案内等の音楽再生を行う観覧車に好適であり、特に、地上とゴンドラとの双方向通信によって観覧車の多機能化を図ることができる。
【符号の説明】
【００６９】
１…観覧車用放送システム
１０…観覧車
１１…回動輪
１２…ゴンドラ
１３…支持構造体
１４…乗降場
１５…運転室
２０…運転室装置
２１…マイコン
２２…電源回路
２３…音声放送スイッチ
２４…音楽制御スイッチ
２５…空調装置制御スイッチ
２６…センサーネットワーク無線モジュール
２６ａ…外部アンテナ
２７…音声用エンコーダ
２８…マイク用アンプ
２８ａ…マイク
２９…モニタ装置
３０…ゴンドラ装置
３１…マイコン
３２…電源回路
３３…回転位置検出スイッチ
３４…携帯／内蔵音楽切替スイッチ
３５…人感センサ
３６…窓開閉検知スイッチ
３７…扉ロック検知センサ
３８…温度センサ
３９…加速度センサ
４０…ミキサ・アンプ回路
４１…音声用デコーダ回路
４２…内蔵音楽用プレイヤー回路
４３…音楽データ蓄積用フラッシュメモリ
４４…スピーカー
４５…携帯音楽プレイヤー
４６…センサーネットワーク無線モジュール
４７…外部アンテナ
４８…空調装置用リレー回路
４９…空調装置
【図１】
2010239427.tif 000003
【図２】
2010239427.tif 000004
【図３】
2010239427.tif 000005
【図４】
2010239427.tif 000006
【図５】
2010239427.tif 000007
【図６】
2010239427.tif 000008
【図７】
2010239427.tif 000009
【図８】
2010239427.tif 000010
【図９】
2010239427.tif 000011
【図１０】
2010239427.tif 000012
【図１１】
2010239427.tif 000013
【図１２】
2010239427.tif 000014
【図１３】
2010239427.tif 000015
【図１４】
2010239427.tif 000016
【図１５】
2010239427.tif 000017
【図１６】
2010239427.tif 000018
【図１７】
2010239427.tif 000019
【図１８】
2010239427.tif 000020